(57)【要約】【課題】日本古来からある本来の囲炉裏のある生活を、安全に再現して楽しむことができる住宅を提供する。【解決手段】高気密高断熱に形成された住宅本体１ａと、この住宅本体１ａよりも気密性を低下させた居室１０とが、互いに隣接して一体化するように設けられ、居室１０の床面１０ｃには囲炉裏２が設けられた住宅１である。居室１０は、囲炉裏２の内部周縁に開口部が設けられ、この開口部から床下空間および床下換気口を介して居室１０内と屋外とが連通するとともに、囲炉裏２の上部の天井部には、温度を感知して開閉するトップライト４が設けられている。住宅本体１ａと居室１０との境界部に耐火壁３ａが設けられている。囲炉裏２からの煙の付着による経年変化を楽しむことができる内装材が、居室１０内の少なくとも一部に用いられている。【選択図】  図１
2005002563.tif 000002
【特許請求の範囲】
【請求項１】
高気密高断熱に形成された住宅本体と、この住宅本体よりも気密性を低下させた居室とが、互いに隣接して一体化するように設けられ、居室の床面には囲炉裏が設けられてなることを特徴とする囲炉裏を有する住宅。
【請求項２】
居室は、囲炉裏の内部周縁に開口部が設けられ、この開口部から床下および床下換気口を介して居室内と屋外とが連通するようになされるとともに、囲炉裏上部の天井部には、温度を感知して開閉する換気口が設けられたものである請求項１記載の囲炉裏を有する住宅。
【請求項３】
住宅本体と居室との境界部に耐火壁が設けられた請求項１または２記載の囲炉裏を有する住宅。
【請求項４】
囲炉裏からの煙の付着による経年変化を楽しむことができる内装材が、居室内の少なくとも一部に用いられた請求項１ないし３の何れか一記載の囲炉裏を有する住宅。
【発明の詳細な説明】
【０００１】
【発明の属する技術分野】
本発明は、囲炉裏を有する住宅に関するものである。
【０００２】
【従来の技術】
囲炉裏はかつて料理、採暖、乾燥（防虫）、照明といった大切な役割を果たし、日本人の生活になくてはならないものであった。その後、住宅の工業化により、住宅事情は大きく変わり、囲炉裏の役割は、システムキッチンや冷暖房システムなどにより、容易に効果的に肩代わりされている。
【０００３】
そこで、従来より、このような工業化住宅において、囲炉裏を再び使用するために、特許文献１および２に示すような各種の囲炉裏が提案されている。
【０００４】
【特許文献１】特開平８−２１９４４２号公報
【特許文献２】特開平５−２０３１５２号公報
【０００５】
【発明が解決しようとする課題】
かつて囲炉裏を日常的に使用していた日本家屋では、隙間も多く自然換気ができていたが、高気密高断熱化に形成されている現在の工業化住宅においては、囲炉裏を使用すると、換気が不十分になることが懸念される。
【０００６】
また、囲炉裏で火を出すと煙が出るので、煤で部屋が汚れることとなってしまう。
【０００７】
そのため、特許文献１および２に示すように、囲炉裏の上部に強制換気装置を設けたものなどが提案されているが、このような囲炉裏の場合、日本古来からある囲炉裏自体の趣が無くなってしまうといった不都合を生じることとなる。
【０００８】
本発明は、係る実情に鑑みてなされたものであって、日本古来からある本来の囲炉裏のある生活を、安全に再現して楽しむことができる住宅を提供することを目的としている。
【０００９】
【課題を解決するための手段】
上記課題を解決するための本発明の囲炉裏を有する住宅は、高気密高断熱に形成された住宅本体と、この住宅本体よりも気密性を低下させた居室とが、互いに隣接して一体化するように設けられ、居室の床面には囲炉裏が設けられてなるものである。
【００１０】
また、居室は、囲炉裏の内部周縁に開口部が設けられ、この開口部から床下および床下換気口を介して居室内と屋外とが連通するようになされるとともに、囲炉裏上部の天井部には、温度を感知して開閉する換気口が設けられたものである。
【００１１】
さらに、住宅本体と居室との境界部に耐火壁が設けられたものである。
【００１２】
さらに、囲炉裏からの煙の付着による経年変化を楽しむことができる内装材が、居室内の少なくとも一部に用いられたものである。
【００１３】
【発明の実施の形態】
以下、本発明の実施の形態を図面を参照して説明する。
【００１４】
図１は囲炉裏２を有する住宅１の間取りを示し、図２は同住宅１に設けた囲炉裏２を示している。
【００１５】
図１において、住宅１の一階１１には、玄関１１ａ、玄関ホール１１ｂ、階段室１１ｃ、和室１１ｄ、バスデッキ１１ｅ、浴室１１ｆ、洗面所１１ｇ、キッチン１１ｈ、ダイニング１１ｉ、リビング１１ｊ、居間１０が設けられている。住宅１の二階１２には、階段室１２ａ、廊下１２ｂ、子供部屋１２ｃ、主寝室１２ｄ、洗面所１２ｅ、書斎１２ｆ、バルコニー１２ｇ、離れ１２ｈ、吹き抜け１０ａが設けられている。
【００１６】
この囲炉裏２を有する住宅１は、それぞれ異なった気密構造で形成された住宅本体１ａと居室１０とが、互いに隣接して設けられ、居室１０に囲炉裏２が設けられている。
【００１７】
住宅本体１ａは、遮熱断熱ペアガラスと気密断熱サッシとの組み合わせによる窓が用いられるとともに、厚さ９０ｍｍの断熱材ロックウールを用いた複合外壁が用いられ、屋根および天井には９０ｍｍの断熱材ロックウールを２層に敷き詰められ、床にも厚さ９４ｍｍのビーズ法ポリスチレンフォームが施され、全体が、熱損失計数（Ｑ値）２．４Ｗ／ｍ２  Ｋ以下、相当隙間面積（Ｃ値）５．０ｃｍ２  ／ｍ２  以下の高断熱、高気密に形成されている。
【００１８】
居室１０は、前記住宅本体１ａと同様の高断熱に形成されているが、気密性については、相当隙間面積（Ｃ値）が５．０ｃｍ２  ／ｍ２  を越え、住宅本体１ａよりも気密性能が低下するように形成されている。特に、相当隙間面積（Ｃ値）は、１５．０ｃｍ２  ／ｍ２  以上に設定することが、換気性、採暖性などの全ての面で好ましい。また、採暖性を特に重要視しなければならない地域においては、相当隙間面積（Ｃ値）は１５．０〜２０．０ｃｍ２  ／ｍ２  の範囲とすることが好ましく、採暖性を特に重要視しなくて良いような気候の地域においては、相当隙間面積（Ｃ値）は２０．０ｃｍ２  ／ｍ２  を越えても全く問題無く使用することができる。この気密性を低下させる手段としては、気密性に大きく影響を与える窓、外壁、屋根をスペックダウンする方法などを用いることができる。
【００１９】
居室１０と住宅本体１ａとを間仕切る間仕切り壁３に沿って、住宅１の屋外に、耐火構造の外壁からなる袖壁３ａが延設するようになされている。この袖壁３ａにより、万が一居室１０で火災が発生したとしても、その火災が住宅本体１ａへと延焼するのを防止することができるようになされている。
【００２０】
また、居室１０の壁、床、天井などの内装には、囲炉裏２から発生する煙によって煤が着くことで魅力が出るような内装材が用いられている。このような内装材としては、例えば、素地の木材（松など）や、素地の木材にあらかじめ煤を塗り込めたものなどを挙げることができる。
【００２１】
なお、居室１０の内装のうち、前記した間仕切り壁３は、屋外の袖壁３ａと同様に耐火構造の外壁で仕上げられたものであってもよい。この場合、居室１０内の防火性をより一層強化することができる。また、煤が着くことで魅力が出るような内装材は、壁、床、天井の何れかの一部分に用いるものであってもよい。
【００２２】
居室１０は、二階に吹き抜けてそのまま勾配屋根天井１０ｂまで連通する空間を構成するようになされている。勾配屋根天井１０ｂには、温度センサ４１によって温度を感知して開閉するトップライト４が設けられている。勾配天井屋根１０ｂは、住宅本体１ａから葺き降ろされた屋根１３と連続するようになされており、内部は、外壁３によって間仕切られているが、外観上は、住宅本体１ａと居室１０とが一体化した住宅１を構成するようになされている。
【００２３】
囲炉裏２は、居室１０の床面１０ｃに穿孔した開口部１０ｄに炉室部２１を嵌め込んで、炉縁部２２が開口部１０ｄの周縁の床面１０ｃに当接するようにして設けられる。この囲炉裏２は、炉室部２１の上部周縁に開口部２１ａが設けられ、この開口部２１ａを介して居室１０と、この居室１０の床下空間Ｓとが連通するようになされている。床下空間Ｓは、床下換気口（図示省略）や土台スペーサー（図示省略）などによって外部と連通するようになされているので、居室１０は、囲炉裏２の炉室部２１の開口部２１ａおよび床下空間Ｓを介して外部と連通することとなる。
【００２４】
このようにして構成される囲炉裏２を有する住宅１は、住宅本体１ａに対して居室１０の気密性を低下させているので、居室１０では、換気不足になること無く安全に囲炉裏２を使用することができ、住宅本体１ａにおいては、高断熱高気密に形成された快適な居住空間で生活することができる。
【００２５】
特に、囲炉裏２は、炉室部２１の上部周縁に設けられた開口部２１ａから、床下空間Ｓを介して外部と連通しているので、外部の空気を取り入れながら燃焼させることができ、居室１０内に自然対流による空気の循環を形成することができる。また、囲炉裏２での燃焼によって発生する熱気が居室１０の上方に溜まり、この居室１０の上下に温度差が発生すると、勾配屋根天井１０ｂに設けられたトップライト４の温度センサ４１が温度を感知してトップライト４が開き、このトップライト４から熱気の排気を行うことができる。このように、囲炉裏２は、居室１０内に自然対流による空気の循環を形成しながら、この居室１０の全体を温め、上下に温度差が発生した場合にのみ最低限の換気を勾配屋根天井１０ｂに設けたトップライト４から行うようになされているので、強制換気による囲炉裏２の使用などとは異なり、日本古来からの囲炉裏２による和みの空間を居室１０に形成することができる。
【００２６】
また、このように囲炉裏２から発生する焔の熱気は、居室１０の全体に行き渡る一方で、囲炉裏２からはどうしても煙がでることとなるが、居室１０は、外壁３で構成された内装以外は、煤が着くことで魅力がでる内装材を用いているので、囲炉裏２の経時的な使用により、内装材が深みのある素材へと変化することとなり、居室１０の価値を高めて行くことができるとともに、囲炉裏２の使用による居室１０の変化を楽しむことができる。
【００２７】
なお、本実施の形態において、住宅本体１ａの相当隙間面積（Ｃ値）は、５．０ｃｍ２  ／ｍ２  以下としているが、５．０ｃｍ２  ／ｍ２  以下であれば特に限定されるものではなく、地域によっては２．０ｃｍ２  ／ｍ２  以下とされる。また、熱損失計数（Ｑ値）２．４Ｗ／ｍ２  Ｋ以下、相当隙間面積（Ｃ値）５．０ｃｍ２  ／ｍ２  以下の高断熱、高気密を達成する住宅本体１ａの構成としては、特に限定されるものではなく、躯体構造についても木造、鉄筋ＲＣ、鉄骨などの何れであってもよい。
【００２８】
【発明の効果】
以上述べたように、本発明によると、高気密高断熱に形成した住宅本体と、この住宅本体よりも気密性を低下させた居室とを隣接して設け、囲炉裏を設けた居室側の気密性を低下させているので、換気不足を懸念したりすることなく、居室で囲炉裏を使用することができる。したがって、強制換気装置を設けたりして本来の囲炉裏の趣を崩してしまうようなことも無く、工業化住宅において囲炉裏を楽しむことができ、住宅本体においては、高気密高断熱による優れた居住空間で快適に生活することができる。
【００２９】
また、居室は、囲炉裏の内部周縁に開口部を設け、この開口部から床下および床下換気口を介して居室内と屋外とが連通するようにしているので、囲炉裏への空気の供給が効率よく行えるとともに、囲炉裏上部の天井部には、温度を感知して開閉する換気口を設けているので、囲炉裏からの換気を効率よく行えることとなり、安全に囲炉裏を使用することができる。
【００３０】
さらに、住宅本体と居室との間は、耐火外壁を介しているため、万が一居室で火災が発生したとしても、住宅本体への延焼を防止して優れた安全性を確保することがてきる。
【００３１】
さらに、囲炉裏からの煙の付着による経年変化を楽しむことができる内装材を、居室内の少なくとも一部に用いていることで、囲炉裏の使用で発生する煙で居室が汚れるといった感覚を無くして、煙で居室を育てるといった楽しみに変えることができる。
【図面の簡単な説明】
【図１】（ａ）は本発明に係る囲炉裏を有する住宅の一階間取り図、（ｂ）は同二階間取り図、（ｃ）は同屋根伏せ図である。
【図２】本発明に係る囲炉裏を有する住宅の囲炉裏部分の部分断面図である。
【符号の説明】
１  住宅
１ａ  住宅本体
１０  居室
１０ｃ  床面
２  囲炉裏
２１ａ  開口部
３ａ  袖壁（耐火壁）
４  トップライト（換気口）
Ｓ  床下空間
【図１】
2005002563.tif 000003
【図２】
2005002563.tif 000004